(57)【要約】【課題】突条部を有する屋根上にパネルを取付け易くすると共に、屋根の厚さの増加を抑制することが可能なパネル屋根構造及びパネル取付装置を提供する。【解決手段】突条部としてのハゼ部２ａを有するハゼ式折板屋根２にパネル３を取付けてパネル屋根構造Ａを構築するためのパネル取付装置１に、平板状のベース部１１、ベース部１１から下方へ突出している一対の垂下部１２、一対の垂下部１２から夫々突出している一対の接続突部１３、及び一方の垂下部１２を貫通している雌ネジ孔１４を有し、雌ネジ孔１４に頭部を外側へ向けた把持ボルト３１が螺合されている把持具１０と、ベース部１１の上面と同一面上の載置部２１を有し、両端が接続突部１３に取付けられると共に載置部２１にパネル３が取付けられるパネル受具２０と、を具備させる。【選択図】図１
2019090288.tif 000002
【特許請求の範囲】
【請求項１】
上方へ突出し屋根の傾斜方向へ延びている突条部を有する屋根上に、パネル取付装置によって平板状のパネルが取付けられているパネル屋根構造であって、
前記パネル取付装置は、
前記突条部の上方で水平に延びている平板状のベース部、該ベース部から前記突条部の両側へ夫々下方へ突出している一対の垂下部、一対の該記垂下部の夫々における前記ベース部よりも低い部位から夫々外側へ突出している一対の接続突部、及び一方の前記垂下部を貫通している雌ネジ孔を有しており、該雌ネジ孔に螺合されている把持ボルトの先端と他方の前記垂下部とで前記突条部を把持して取付けられている把持具と、
該把持具の前記ベース部の上面と同一面上で水平に延びており前記パネルが載置されている載置部を有し、長手方向の両端が、隣接している二つの前記突条部に夫々取付けられている前記把持具の対面している前記接続突部に夫々取付けられていると共に、前記載置部に前記パネルが取付けられているパネル受具と
を具備していることを特徴とするパネル屋根構造。
【請求項２】
請求項１に記載のパネル屋根構造に使用されるパネル取付装置であって、
平板状のベース部、該ベース部から互いに離隔して夫々下方へ突出している一対の垂下部、一対の該垂下部の夫々における前記ベース部よりも低い部位から夫々外側へ突出している一対の接続突部、及び一方の前記垂下部を貫通している雌ネジ孔を有し、該雌ネジ孔に頭部を外側へ向けた把持ボルトが螺合されている把持具と、
該把持具の前記ベース部の上面と同一面上の載置部を有し、長手方向の両端が夫々接続突部に取付けられるパネル受具と
を具備していることを特徴とするパネル取付装置。
【発明の詳細な説明】
【技術分野】
【０００１】
本発明は、上方へ突出し屋根の傾斜方向へ延びている突条部を有する屋根上に、パネル取付装置によって平板状のパネルが取付けられているパネル屋根構造及びパネル取付装置に関するものである。
【背景技術】
【０００２】
上方へ突出し屋根の傾斜方向へ延びている突条部を有する屋根として、突条部としてのハゼ部を有するハゼ式折板屋根がある。このハゼ式折板屋根に、断熱材からなる平板状のパネルを取付けた上で、防水シートを敷設して平らな屋根を構築することが知られている。このハゼ式折板屋根にパネルを取付けている構造としては、例えば、ハゼ式折板屋根のハゼ部に、上面が平坦に形成されている固定具を取付け、その固定具に平板状のパネルを載置した上で、上方からパネルを貫通してビスを打込むことにより、パネルを取付けるようにしたものが提案されている（特許文献１）。
【０００３】
また、ハゼ式折板屋根にパネルが取付けられている構造として、ハゼ部に、上方へ突出したボルトを有する複数の固定具を取付けると共に、各固定具のボルトに複数の固定具に跨る長さの桟部材を取付け、この桟部材にパネルを取付けているものが提案されている（特許文献２）。
【０００４】
しかしながら、特許文献１の技術では、固定具の上面が狭いため、パネルの上方からビスを打込む際に、固定具から離れた位置にビスを打込んでしまったり、ビスがハゼ部に打込まれてしまったりする問題があった。また、特許文献１の技術では、パネルとして強度の弱いものを用いた場合、固定具の上面が狭いことから、パネルを支える面積が狭いため、パネルに作業者が乗った時に、パネルが破損してしまうことがあった。
【０００５】
また、特許文献２の技術では、ハゼ部の上側に取付けられた桟部材にパネルを取付けているため、少なくとも桟部材の分だけ、屋根全体が厚くなり、屋根の見栄えが悪くなる問題があった。また、特許文献２の技術では、窓や換気口等が設けられている壁の下部から延びだしている突条部を有する既存の屋根に、パネルを取付けたい時に、既存の屋根から窓等までの高さによっては、窓等にパネルがかかることで、パネルの取付けを断念したり、窓等にかかった状態でパネルが取付けられることで見栄えが悪くなったりする問題があった。
【先行技術文献】
【特許文献】
【０００６】
【特許文献１】特開２００４−２１８２９１号公報
【特許文献２】特開２００８−２５５７０６号公報
【発明の概要】
【発明が解決しようとする課題】
【０００７】
そこで、本発明は、上記の実情に鑑み、突条部を有する屋根上にパネルを取付け易くすると共に、屋根の厚さの増加を抑制することが可能なパネル屋根構造及びパネル取付装置の提供を課題とするものである。
【課題を解決するための手段】
【０００８】
上記の課題を解決するために、本発明に係るパネル屋根構造は、「上方へ突出し屋根の傾斜方向へ延びている突条部を有する屋根上に、パネル取付装置によって平板状のパネルが取付けられているパネル屋根構造であって、前記パネル取付装置は、前記突条部の上方で水平に延びている平板状のベース部、該ベース部から前記突条部の両側へ夫々下方へ突出している一対の垂下部、一対の該記垂下部の夫々における前記ベース部よりも低い部位から夫々外側へ突出している一対の接続突部、及び一方の前記垂下部を貫通している雌ネジ孔を有しており、該雌ネジ孔に螺合されている把持ボルトの先端と他方の前記垂下部とで前記突条部を把持して取付けられている把持具と、該把持具の前記ベース部の上面と同一面上で水平に延びており前記パネルが載置されている載置部を有し、長手方向の両端が、隣接している二つの前記突条部に夫々取付けられている前記把持具の対面している前記接続突部に夫々取付けられていると共に、前記載置部に前記パネルが取付けられているパネル受具とを具備している」ことを特徴とする。
【０００９】
ここで、上方へ突出し屋根の傾斜方向へ延びている突条部を有する屋根としては、「突条部としてのハゼ部を有するハゼ式折板屋根」、「突条部としての瓦棒を有する瓦棒屋根」、「突条部としてのハゼ部を有する縦葺板金屋根」、を例示することができる。
【００１０】
また、パネルとしては、「断熱パネル」、「合板」、「石膏パネル」、を例示することができる。
【００１１】
本構成によれば、屋根の突条部に取付けられている把持具のベース部と、把持具の接続突部に長手方向の両端が取付けられるパネル受具の載置部とを、同一面上としてパネルを載置しているため、特許文献１の技術と比較して、パネルを支える面積を広くすることができ、パネルに作業者が乗っても破損し難いものとすることができる。
【００１２】
また、パネルが載置されるパネル受具が、隣接している突条部に夫々取付けられている把持具を繋ぐ長さであり、把持具よりも面積が広いため、パネルの上方からパネル受具へビスを打込んで取付ける際に、パネル受具から離れた位置にビスが打込まれる打ち損じを低減させることができる。また、パネル受具にパネルを取付けるようにしているため、パネルを取付けるためのビスが突条部に打込まれることはなく、突条部にビスが打込まれることで屋根材に孔が開いて雨漏りの原因となることを回避することができる。
【００１３】
更に、把持具のベース部から下方へ突出した一対の垂下部同士の間で、屋根の突条部を挟持しているため、突条部に対してベース部を可及的に接近させた状態で把持具を取付けることができる。そして、突条部に接近して取付けられたベース部と同一面上に、パネル受具の載置部を設けていることから、載置部に載置されたパネルが突条部に接近することとなるため、特許文献２の技術と比較して、パネルを含めたパネル屋根構造全体の厚さを薄くすることができ、屋根の見栄えの悪化を抑制させることができる。
【００１４】
また、上述したように、屋根全体の厚さの増加を抑制させることができるため、窓や換気口のような開口が設けられている壁の下部から延びだしている突条部を有する既存の屋根に、パネルを取付けたい場合、開口にパネルがかかり難くなり、既存の屋根に対して対応させ易いものとすることができる。
【００１５】
本発明に係るパネル取付装置は、上記のパネル屋根構造に使用されるパネル取付装置であって、「平板状のベース部、該ベース部から互いに離隔して夫々下方へ突出している一対の垂下部、一対の該垂下部の夫々における前記ベース部よりも低い部位から夫々外側へ突出している一対の接続突部、及び一方の前記垂下部を貫通している雌ネジ孔を有し、該雌ネジ孔に頭部を外側へ向けた把持ボルトが螺合されている把持具と、該把持具の前記ベース部の上面と同一面上の載置部を有し、長手方向の両端が夫々接続突部に取付けられるパネル受具とを具備している」ことを特徴とする。
【００１６】
本構成のパネル取付装置によれば、把持具の一対の垂下部の間に、屋根の突条部を挿入した上で、一方の垂下部の雌ネジ孔に螺合されている把持ボルトを回転させて、把持ボルトの先端と他方の垂下部とで突条部を把持することにより、突条部に把持具を取付けることができる。そして、隣接している二つの突条部に夫々把持具を取付けた後に、夫々の把持具の対面している接続突部に、パネル受具の長手方向の両端を夫々取付けることにより、屋根にパネル取付装置を取付けることができる。その後、同一面上となっている把持具のベース部と、パネル受具の載置部とにパネルを載置し、パネルの上方からパネル受具にビスを打込んでパネルを取付けることにより、上述したパネル屋根構造を構築することができる。
【００１７】
これにより、上記のパネル取付構造で、突条部を有する屋根にパネルを取付けることができ、上記と同様の作用効果を奏することができる。
【発明の効果】
【００１８】
以上のように、本発明の効果として、突条部を有する屋根上にパネルを取付け易くすると共に、屋根の厚さの増加を抑制することが可能なパネル屋根構造及びパネル取付装置を、提供することができる。
【図面の簡単な説明】
【００１９】
【図１】（ａ）は本発明の第一実施形態のパネル取付装置を使用してハゼ式折板屋根にパネルを取付けたパネル屋根構造の断面図であり、（ｂ）は（ａ）における一方のハゼ部の部位の拡大図であり、（ｃ）は（ａ）における他方のハゼ部の部位の拡大図である。
【図２】図１のパネル取付装置を分解して示す斜視図である。
【図３】（ａ）は図２のパネル取付装置における把持具の正面図であり、（ｂ）は（ａ）の把持具の斜視図であり、（ｃ）は（ａ）の把持具を上下反転させた状態で把持ボルト共に示す斜視図である。
【図４】図２のパネル取付装置を屋根に取付けた状態で示す斜視図である。
【図５】図２のパネル取付装置の屋根への取付例を斜視図で示す説明図である。
【図６】（ａ）は本発明の第二実施形態のパネル取付装置を使用してハゼ式折板屋根にパネルを取付けたパネル屋根構造の断面図であり、（ｂ）は（ａ）における一方のハゼ部の部位の拡大図であり、（ｃ）は（ａ）における他方のハゼ部の部位の拡大図である。
【図７】図６のパネル取付装置を分解して示す斜視図である。
【図８】（ａ）は図６とは把持具とパネル受具との取付態様が異なるパネル取付装置を分解して一部を示す斜視図であり、（ｂ）は（ａ）のパネル取付装置を使用したパネル屋根構造の一部を拡大して示す断面図である。
【図９】（ａ）は図６及び図８とは把持具とパネル受具との取付態様が異なるパネル取付装置を分解して一部を示す斜視図であり、（ｂ）は（ａ）のパネル取付装置を使用したパネル屋根構造の一部を拡大して示す断面図である。
【図１０】（ａ）は本発明の第三実施形態のパネル取付装置を使用してハゼ式折板屋根にパネルを取付けたパネル屋根構造の断面図であり、（ｂ）は（ａ）における一方のハゼ部の部位の拡大図であり、（ｃ）は（ａ）における他方のハゼ部の部位の拡大図である。
【図１１】図１０のパネル取付装置を分解して示す斜視図である。
【図１２】（ａ）は本発明の第四実施形態のパネル取付装置を使用して瓦棒屋根にパネルを取付けたパネル屋根構造の断面図であり、（ｂ）は（ａ）における一方の瓦棒の部位の拡大図である。
【図１３】（ａ）は図１のパネル取付装置を使用して縦葺板金屋根にパネルを取付けたパネル屋根構造の断面図であり、（ｂ）は（ａ）における一方のハゼ部の部位の拡大図である。
【発明を実施するための形態】
【００２０】
本発明の第一実施形態であるパネル取付装置１について、図１乃至図５を参照して詳細に説明する。このパネル取付装置１は、上方へ突出し屋根の傾斜方向へ延びている突条部としてのハゼ部２ａを有するハゼ式折板屋根２上に、断熱パネル、合板、石膏パネルに例示される平板状のパネル３を取付けるためのものである。パネル取付装置１は、ハゼ式折板屋根２のハゼ部２ａに取付けられる把持具１０と、隣接しているハゼ部２ａに夫々取付けられている把持具１０同士を連結しておりパネル３が取付けられるパネル受具２０と、把持具１０をハゼ部２ａに取付けるための把持ボルト３１と、把持具１０にパネル受具２０を取付けるための組立ボルト３２及び組立ナット３３と、を備えている。
【００２１】
把持具１０は、平板状のベース部１１と、ベース部１１から互いに離隔して夫々下方へ突出している一対の垂下部１２と、一対の垂下部１２の夫々におけるベース部１１よりも低い部位から夫々外側へ突出している一対の接続突部１３と、一方の垂下部１２を貫通している雌ネジ孔１４と、を備えている。
【００２２】
ベース部１１は、長方形に形成されている。一対の垂下部１２は、ベース部１１における平行な二つの長辺から下方へ突出している。一対の垂下部１２のうち雌ネジ孔１４が貫通している垂下部１２とは反対側の垂下部１２は、下端から相手側へ向かって突出し、先端が上方へ屈曲している内側突出部１２ａを有している。内側突出部１２ａは、一対の垂下部１２同士の間の中央付近まで突出していると共に、上端が雌ネジ孔１４と同じ高さである。
【００２３】
一対の接続突部１３は、上下方向の厚さが、垂下部１２の高さの半分ほどである。一対の接続突部１３は、夫々の先端側において、ベース部１１の長辺が延びている方向へ貫通していると共に、一対の垂下部１２が離隔している方向へ長い、長孔状の組立長孔１３ａを有している。この組立長孔１３ａは、パネル受具２０を取付けてパネル取付装置１に組立てるためのものであり、組立ボルト３２が挿通される。また、一対の接続突部１３は、夫々において、垂下部１２と組立長孔１３ａとの間でベース部１１の長辺の方向へ貫通している肉抜孔１３ｂを、有している。
【００２４】
一対の接続突部１３は、夫々の垂下部１２における上下方向の中央より上側の部位から突出している。接続突部１３は、上面が先端へ向かって低くなる二段の階段状に形成されている。
【００２５】
雌ネジ孔１４は、一方の垂下部１２を、接続突部１３よりも下方の部位で貫通している。また、雌ネジ孔１４は、ベース部１１の長辺の方向へ離隔して二つ設けられている（図３（ｃ）を参照）。雌ネジ孔１４には、把持ボルト３１が螺合される。
【００２６】
把持具１０は、ベース部１１の長辺に直交する断面が、単一の形状である。本実施形態の把持具１０は、アルミニウム合金等の金属の押出型材により形成されている。
【００２７】
パネル受具２０は、長方形で平板状の載置部２１と、載置部２１の平行な一対の長辺から下方へ突出している一対の平板状の側壁部２２と、一対の側壁部２２の長手方向の両端付近に夫々設けられており、把持具１０に取付けられるための組立孔２２ａと、を備えている。組立孔２２ａは、一対の側壁部２２に対して、同軸上で貫通しており、組立ボルト３２が挿通される。
【００２８】
パネル受具２０は、載置部２１の厚さが、把持具１０におけるベース部１１の上面から、接続突部１３における二段の階段状の面のうち垂下部１２に近い側の面までの高さと、同じである。また、パネル受具２０は、一対の側壁部２２同士の間の距離が、把持具１０のベース部１１における一対の長辺の長さよりも長い。
【００２９】
また、パネル受具２０は、ハゼ式折板屋根２における隣接している二つのハゼ部２ａに把持具１０を夫々取付けた状態で、二つの把持具１０の互いに対面している垂下部１２同士の間の距離よりも、若干短い長さに形成されている。パネル受具２０は、長手方向に直交する断面が、単一形状である。本実施形態のパネル受具２０は、アルミニウム合金等の金属に形成されているコ字状のチャンネル材である。
【００３０】
把持ボルト３１は、十字穴付鍋ボルトであり、頭部を外側へ向けた状態で、把持具１０の雌ネジ孔１４に螺合されている。
【００３１】
本実施形態のパネル取付装置１の組立ては、パネル受具２０の長手方向の両端部夫々において、一対の側壁部２２の間に、把持具１０の一対の接続突部１３のうち、一方をパネル受具２０の外部に位置させた状態で、他方を接続突部１３間に挿入する。そして、接続突部１３の上面と載置部２１の下面とを当接させると共に、把持具１０の組立長孔１３ａとパネル受具２０の一対の組立孔２２ａとを一致させた状態とする。その後、組立ボルト３２を、一方の側壁部２２の外側から組立孔２２ａ及び組立長孔１３ａを貫通させて反対側の側壁部２２から突出させた上で、組立ナット３３を螺合して締付けることにより、パネル取付装置１を組立てることができる。
【００３２】
なお、パネル取付装置１を組立てる際に、組立ボルト３２の頭部と側壁部２２との間に平座金３４を挿入すると共に、組立ナット３３と側壁部２２との間に平座金３４とバネ座金３５を挿入する。
【００３３】
続いて、本実施形態のパネル取付装置１を使用した、ハゼ式折板屋根２上にパネル３が取付けられたパネル屋根構造Ａの構築について説明する。ここで、ハゼ式折板屋根２は、屋根の傾斜方向に対して直角方向（以下、横方向と称する）へ、山部と谷部とが交互に続いており、山部に上方へ突出したハゼ部２ａが形成されている。
【００３４】
まず、パネル取付装置１を、把持具１０とパネル受具２０とに分解した状態で、把持具１０の一対の垂下部１２の間にハゼ部２ａを挿入し、垂下部１２の下端をハゼ式折板屋根２の山部の上面に当接させる。そして、一方の垂下部１２の雌ネジ孔１４に螺合されている把持ボルト３１を回転させて、把持ボルト３１の先端と他方の垂下部１２の内側突出部１２ａとでハゼ部２ａを挟持して、ハゼ部２ａに把持具１０を取付ける。なお、ハゼ部２ａの形状によっては、他方の垂下部１２における内側突出部１２ａよりも上側の部位と把持ボルト３１の先端とで、ハゼ部２ａの上部を挟持しても良いが、ハゼ部２ａにおける下部の細くなっている部位を挟持することが望ましい。
【００３５】
把持具１０をハゼ部２ａに取付けた状態では、一方の垂下部１２の下端がハゼ式折板屋根２の山部の上面に当接していると共に、ベース部１１とハゼ部２ａとの間に僅かな隙間が形成されている。なお、把持具１０を取付けるハゼ部２ａの形状や大きさによっては、垂下部１２の下端をハゼ式折板屋根２の山部の上面に当接させると共に、ベース部１１をハゼ部２ａに当接させるようにしても良い。或いは、ベース部１１をハゼ部２ａに当接させると共に、垂下部１２の下端とハゼ式折板屋根２の上面との間に隙間を形成させるようにしても良い。このように、少なくとも、垂下部１２の下端をハゼ式折板屋根２の上面に当接させるか、ベース部１１をハゼ部２ａに当接させるかすることにより、ハゼ式折板屋根２に対して把持具１０の上下方向の位置決めをすることができる。
【００３６】
一つのハゼ部２ａに把持具１０を取付けたら、当該ハゼ部２ａと隣接しているハゼ部２ａに、上記と同様の手順により別の把持具１０を取付ける。この際に、二つの把持具１０が、横方向の同一直線上に位置するように取付ける。
【００３７】
そして、二つの把持具１０における互いに対面している接続突部１３に、パネル受具２０の長手方向の夫々の端部を、一対の側壁部２２同士の間に接続突部１３が挿入されるように上方から被せて、夫々の接続突部１３の二段の面のうち上方の面上にパネル受具２０の載置部２１を載置する。これにより、把持具１０のベース部１１の上面とパネル受具２０の載置部２１の上面とが、同一面上となると共に、把持具１０の組立長孔１３ａとパネル受具２０の一対の組立孔２２ａとが、一致した状態となる。
【００３８】
また、把持具１０にパネル受具２０を取付けた状態では、一対の側壁部２２の下端が、一対の垂下部１２の下端と同じ高さに位置している。つまり、パネル受具２０は、隣接しているハゼ部２ａ同士の間に位置している。
【００３９】
その後、一つの平座金３４を通した組立ボルト３２を、一方の側壁部２２の外側から組立孔２２ａ及び組立長孔１３ａを貫通させて反対側の側壁部２２の組立孔２２ａから突出させ、平座金３４及びバネ座金３５を通した上で組立ナット３３を螺合して締付ける。これにより、ハゼ式折板屋根２に、パネル取付装置１が取付けられた状態となる。
【００４０】
上記のような手順により、複数のパネル取付装置１を、ハゼ式折板屋根２の傾斜方向と横方向へ、夫々間隔をあけた状態で取付ける。
【００４１】
複数のパネル取付装置１をハゼ式折板屋根２に取付けた状態で、平板状のパネル３を、複数のパネル取付装置１に跨るように載置して敷き並べる。そして、パネル３の上方から補強板４及びパネル３を貫通させてビス５を、パネル受具２０の載置部２１に打込んで、パネル取付装置１にパネル３を取付ける。その後、敷き並べられたパネル３の全体に、上から防水シート６を敷設することで、パネル屋根構造Ａを構築することができる。
【００４２】
なお、本実施形態のパネル取付装置１は、図５に示すように、ハゼ式折板屋根２の横方向に対して、三個以上（ここでは四個）の把持具１０を、横方向の軸線上に並べて取付け、各把持具１０の接続突部１３同士をパネル受具２０により連結するようにしても良い。
【００４３】
このように、本実施形態のパネル取付装置１によれば、ハゼ式折板屋根２のハゼ部２ａに取付けられている把持具１０のベース部１１と、把持具１０の接続突部１３に長手方向の両端が取付けられるパネル受具２０の載置部２１とを、同一面上としてパネル３を載置しているため、従来の技術と比較して、パネル３を支える面積を広くすることができ、パネル３に作業者が乗っても破損し難いものとすることができる。
【００４４】
また、パネル３が載置されるパネル受具２０が、隣接しているハゼ部２ａに夫々取付けられている把持具１０を繋ぐ長さであり、把持具１０よりも面積が広いため、パネル３の上方からパネル受具２０へビス５を打込んで取付ける際に、パネル受具２０から離れた位置にビス５が打込まれる打ち損じを低減させることができる。また、パネル受具２０にパネル３を取付けるようにしているため、パネル３を取付けるためのビス５がハゼ部２ａに打込まれることはなく、ハゼ部２ａにビス５が打込まれることでハゼ式折板屋根２に孔が開いて雨漏りの原因となることを回避することができる。
【００４５】
更に、把持具１０のベース部１１から下方へ突出した一対の垂下部１２同士の間で、ハゼ式折板屋根２のハゼ部２ａを挟持しているため、ハゼ部２ａに対してベース部１１を可及的に接近させた状態で把持具１０を取付けることができる。そして、ハゼ部２ａに接近して取付けられたベース部１１と同一面上に、パネル受具２０の載置部２１を設けていることから、載置部２１に載置されたパネル３がハゼ部２ａに接近することとなるため、パネル３を含めたパネル屋根構造Ａ全体の厚さを薄くすることができ、屋根の見栄えの悪化を抑制させることができる。
【００４６】
また、上述したように、屋根全体の厚さの増加を抑制させることができるため、窓や換気口のような開口が設けられている壁の下部から延びだしているハゼ式折板屋根２に、パネル３を取付けたい場合、開口にパネル３がかかり難くなり、既存の屋根に対して対応させ易いものとすることができる。
【００４７】
また、ハゼ式折板屋根２のハゼ部２ａを挟持することで、パネル取付装置１の把持具１０を取付けているため、パネル３を取付ける際に、ハゼ式折板屋根２に孔をあける必要がない。従って、ハゼ式折板屋根２に孔があけられることで、下方へ切粉が落下したり雨漏りの原因となったりすることはない。
【００４８】
次に、第二実施形態のパネル取付装置１Ａについて、図６及び図７を参照して説明する。第一実施形態のパネル取付装置１との相違点は、把持具１０の一対の接続突部１５が、上下に貫通している組立ネジ孔１５ａを有しベース部１１と平行な平板状に形成されていると共に、パネル受具２０の載置部２１に組立ネジ孔１５ａと一致する組立孔２１ａが形成されている点である。その他の構成は第一実施形態と同様であり、同一の符号を付すと共に詳細な説明は省略する。
【００４９】
パネル取付装置１Ａにおける把持具１０の一対の接続突部１５は、上下の厚さが、ベース部１１の厚さの二倍ほどである。パネル受具２０における載置部２１を貫通している組立孔２１ａは、皿座グリ孔である。
【００５０】
このパネル取付装置１Ａは、把持具１０の接続突部１５にパネル受具２０の載置部２１を載置し、組立ネジ孔１５ａと組立孔２１ａとを一致させた状態で、頭部が皿状の十字穴付皿ボルトからなる組立ボルト３６を、上方から組立孔２１ａを貫通させて組立ネジ孔１５ａにねじ込んで締付けることにより、組立てることができる。そして、パネル取付装置１Ａを組立てた状態では、組立ボルト３６の上面が、載置部２１の上面やベース部１１の上面と同一面上に位置し、全体的に平坦な上面となっている。
【００５１】
第二実施形態のパネル取付装置１Ａによれば、第一実施形態のパネル取付装置１と同様の作用効果に加えて、把持具１０にパネル受具２０を取付ける際に、上方から組立ボルト３６をねじ込むようにしているため、パネル取付装置１Ａの組立作業を楽な姿勢で行うことができる。
【００５２】
この第二実施形態のパネル取付装置１Ａでは、図８に示すように、パネル受具２０における載置部２１の組立孔２１ａを、内径が一定の直孔としても良い。この場合、上方から載置部２１の組立孔２１ａを通して、接続突部１５の組立ネジ孔１５ａに、頭部の高さが低い十字穴付低頭ボルトからなる組立ボルト３７をねじ込んで締付けることにより、パネル取付装置１Ａを組立てることができる。
【００５３】
また、第二実施形態のパネル取付装置１Ａでは、図９に示すように、把持具１０における一対の接続突部１５の夫々に、上方へ突出している組立ボルト１５ｂを有するようにしても良い。この場合、接続突部１５の組立ボルト１５ｂを、載置部２１の組立孔２１ａに下から挿通させた上で、組立ボルト１５ｂに組立ナット３８を螺合させて締付けることにより、パネル取付装置１Ａを組立てることができる。
【００５４】
なお、図８及び図９のパネル取付装置１Ａでは、組立ボルト３７の頭部や、接続突部１５の組立ボルト１５ｂ及び組立ナット３８、が載置部２１の上面よりも上方へ突出しているため、パネル３として、発泡樹脂等の変形可能な素材のものを使用することが望ましい。
【００５５】
次に、第三実施形態のパネル取付装置１Ｂについて、図１０及び図１１を参照して説明する。第一実施形態のパネル取付装置１との相違点は、把持具１０の一対の接続突部１６が、一対の垂下部１２の夫々における上下方向の二つの側辺から外側へ平板状に突出している点である。その他の構成は第一実施形態と同様であり、同一の符号を付すと共に詳細な説明は省略する。
【００５６】
接続突部１６は、一つの垂下部１２において、ベース部１１の長辺の方向へ離隔して二つが平行に突出している。接続突部１６は、ベース部１１の長辺の方向へ貫通し、一対の垂下部１２が離隔している方向へ長い、長孔状の組立長孔１６ａを有している。パネル取付装置１Ｂの把持具１０は、金属板を屈曲させて形成されている。
【００５７】
このパネル取付装置１Ｂのパネル受具２０は、一対の側壁部２２を貫通している組立孔２２ａが、載置部２１の上面を把持具１０のベース部１１の上面と同一面上にした時に、把持具１０における接続突部１６の長孔状の組立長孔１６ａと一致する高さに形成されている。このパネル受具２０は、一対の側壁部２２の外側面同士の間隔が、把持具１０における垂下部１２の二つの側辺から夫々突出している接続突部１６同士の間の間隔よりも短い。
【００５８】
また、パネル取付装置１Ｂのパネル受具２０は、一対の側壁部２２の下辺同士が平板状の底壁部２３によって繋がれている。パネル取付装置１Ｂのパネル受具２０は、アルミニウム合金のような金属の角パイプにより形成されている。
【００５９】
このパネル取付装置１Ｂは、把持具１０の一つの垂下部１２から突出している二つの接続突部１６の間に、パネル受具２０の長手方向の端部を挿入し、接続突部１６の組立長孔１６ａとパネル受具２０の組立孔２２ａとを一致させた状態で、第一実施形態と同様に、組立長孔１６ａ及び組立孔２２ａに組立ボルト３２を挿通させて、組立ナット３３を螺合して締付けることにより、組立てることができる。この第三実施形態のパネル取付装置１Ｂによれば、第一実施形態のパネル取付装置１と同様の作用効果を奏することができる。
【００６０】
このパネル取付装置１Ｂでは、パネル受具２０を、第一実施形態のパネル受具２０と同様に、下方が開放されたコ字状のチャンネル材としても良い。この場合、コ字状のパネル受具２０の一対の側壁部２２の間に、把持具１０における垂下部１２の両側辺から夫々突出している二つの接続突部１６が挿入されて、二つの接続突部１６に載置部２１が載置されるようにすることが望ましい。これにより、把持具１０の組立長孔１６ａとパネル受具２０の組立孔２２ａとの一致作業を容易なものとすることができる。
【００６１】
次に、第四実施形態のパネル取付装置１Ｃについて、図１２を参照して説明する。第一実施形態のパネル取付装置１との相違点は、把持具１０における一対の垂下部１２のうち雌ネジ孔１４が貫通している垂下部１２とは反対側の垂下部１２に、下端と、接続突部１３の下面と同じ高さの部位とから、相手側の垂下部１２へ向かって短く突出している二つの内側突出部１２ｂを有し、把持具１０が瓦棒屋根７に取付けられている点である。その他の構成は第一実施形態と同様であり、同一の符号を付すと共に詳細な説明は省略する。
【００６２】
パネル取付装置１Ｃが取付けられる瓦棒屋根７は、上方へ突出し屋根の傾斜方向へ延びている突条部としての瓦棒７ａを有しており、屋根の構造材としての野地板Ｂ上に取付けられている。
【００６３】
このパネル取付装置１Ｃの把持具１０は、把持具１０の一対の垂下部１２の間に瓦棒７ａを挿入し、ベース部１１を瓦棒７ａの上端に当接させた状態で、把持ボルト３１を回転させて、把持ボルト３１の先端と二つの内側突出部１２ｂとで瓦棒７ａを挟持することにより、瓦棒７ａに取付けることができる。このパネル取付装置１Ｃによれば、第一実施形態のパネル取付装置１と同様の作用効果を奏することができる。
【００６４】
以上、本発明について好適な実施形態を挙げて説明したが、本発明は上記の実施形態に限定されるものではなく、本発明の要旨を逸脱しない範囲において、種々の改良及び設計の変更が可能である。なお、以下では、構成が同じ部位については同一の符号を付し、詳細な説明は省略する。
【００６５】
例えば、上記の実施形態では、パネル取付装置１（パネル取付装置１Ａ、パネル取付装置１Ｂ）が取付けられる屋根として、突条部としてのハゼ部２ａを有するハゼ式折板屋根２を示したが、これに限定するものではなく、図１３に示すように、縦葺板金屋根８としても良い。縦葺板金屋根８は、帯板状で二つの長辺側を上方へ屈曲させた立上部を有する複数の金属屋根材を、長手方向を屋根の傾斜方向へ向けた状態で、屋根の横方向へ並べて野地板Ｂ上に載置し、隣接している立上部同士をハゼ締めしたものである。縦葺板金屋根８におけるハゼ締めされている部位が、上方へ突出している突条部としてのハゼ部８ａである。図１３では、第一実施形態のパネル取付装置１を使用しており、同じ構成の部位には同一の符号を付して詳細な説明は省略する。
【００６６】
縦葺板金屋根８のハゼ部８ａを、把持部１０の内側突出部１２ａと把持ボルト３１の先端とで挟持することにより、把持部１０をハゼ部８ａに取付けることができ、第一実施形態と同様の手順で、縦葺板金屋根８にパネル３を取付けたパネル屋根構造Ａを構築することができる。なお、ここでは、ベース部１１をハゼ部８ａに当接させている。
【００６７】
また、図１３の実施形態では、第一実施形態のパネル取付装置１を使用したものを示したが、これに限定するものではなく、第二実施形態のパネル取付装置１Ａや第三実施形態のパネル取付装置１Ｂを使用しても良い。
【符号の説明】
【００６８】
１、１Ａ、１Ｂ、１Ｃ  パネル取付装置
２  ハゼ式折板屋根（屋根）
２ａ  ハゼ部（突条部）
３  パネル
７  瓦棒屋根（屋根）
７ａ  瓦棒（突条部）
８  縦葺板金屋根（屋根）
８ａ  ハゼ部（突条部）
１０  把持具
１１  ベース部
１２  垂下部
１２ａ  内側突出部
１２ｂ  内側突出部
１３  接続突部
１３ａ  組立長孔
１３ｂ  肉抜孔
１４  雌ネジ孔
１５  接続突部
１５ａ  組立ネジ孔
１５ｂ  組立ボルト
１６  接続突部
１６ａ  組立長孔
２０  パネル受具
２１  載置部
２１ａ  組立孔
２２  側壁部
２２ａ  組立孔
３１  把持ボルト
３２  組立ボルト
３３  組立ナット
３６  組立ボルト
３７  組立ボルト
３８  組立ナット
Ａ  パネル屋根構造
【図１】
2019090288.tif 000003
【図２】
2019090288.tif 000004
【図３】
2019090288.tif 000005
【図４】
2019090288.tif 000006
【図５】
2019090288.tif 000007
【図６】
2019090288.tif 000008
【図７】
2019090288.tif 000009
【図８】
2019090288.tif 000010
【図９】
2019090288.tif 000011
【図１０】
2019090288.tif 000012
【図１１】
2019090288.tif 000013
【図１２】
2019090288.tif 000014
【図１３】
2019090288.tif 000015